(57)【特許請求の範囲】
【請求項１】
車両の荷室を遮蔽するトノカバーシートと、前記トノカバーシートの後端が固着されており、前記トノカバーシートを巻取る巻取り軸と、前記巻取り軸を内蔵し、前記トノカバーシートが出入りする開口部が形成されたケースと、前記トノカバーシートの先端に結合された把持ボードと、前記把持ボードの幅方向の両端部に設けられ、前記車両に設けられた係止装置と係止できる係止フックと、を備えるトノカバー装置であって、
前記ケースは、前記開口部の長手方向に延びる縁を形成し、前記トノカバーシートの引出し方向に延びる端部を有しており、
前記係止フックには、前記端部を挟持し保持するための挟持部が設けられており、前記挟持部は、前記ケースと対向する側に前記端部の受け入れ開口が形成されたくさび状の隙間を有している、トノカバー装置。
【請求項２】
前記係止フックには、前記引出し方向に延びる片と、前記片に接続され、隙間を形成するように前記トノカバーシートの巻取り方向へと延設する挟み部と、が設けられており、前記片と前記挟み部とで前記挟持部が構成されている、請求項１に記載のトノカバー装置。
【請求項３】
前記挟み部には前記隙間に向かって突出する保持部と、前記引出し方向に延びる片と対向する側の面であり、かつ、前記保持部から前記挟み部の先端に向かって前記引出し方向に延びる片とは反対側に反っている案内部とが設けられている、請求項２に記載のトノカバー装置。
【請求項４】
前記挟持部は、前記挟み部と接続する前記片から前記巻取り方向に向かって突出する突出部をさらに有している、請求項２または３に記載のトノカバー装置。
【請求項５】
前記挟み部は、ばね部材を介して前記片に接続されている、請求項２から４のいずれか１項に記載のトノカバー装置。
【請求項６】
前記挟持部が前記ケースの前記端部を挟持した状態で、前記ケースの、前記保持部と当接する位置に前記保持部と嵌合うための窪みが設けられている、請求項３に記載のトノカバー装置。
【請求項７】
車両の荷室を遮蔽するトノカバーシートと、前記トノカバーシートの後端が固着されており、前記トノカバーシートを巻取る巻取り軸と、前記巻取り軸を内蔵し、前記トノカバーシートが出入りする開口部が形成されたケースと、前記トノカバーシートの先端に結合された把持ボードと、前記把持ボードの幅方向の両端部に設けられ、前記車両に設けられた係止装置と係止できる係止フックと、を備えるトノカバー装置における把持ボードの保持方法であって、
前記ケースに、前記開口部の長手方向に延びる縁を形成するように、前記トノカバーシートの引出し方向に延びる端部を形成し、
前記係止フックに、前記端部を挟持する挟持部であって、前記ケースと対向する側に前記端部の受け入れ開口が形成されたくさび状の隙間を有している挟持部を形成し、
前記挟持部で前記端部を挟持し、前記把持ボードを水平保持する、把持ボードの保持方法。
【発明の詳細な説明】
【技術分野】
【０００１】
本発明は、車両の荷室を遮蔽するトノカバー装置に関する。
【背景技術】
【０００２】
従来、荷室が乗員室と区切られておらず、リヤシートの後部に荷室が設けられているハッチバック型の自動車などでは、荷室に載置した荷物を外部から視認されないようにするために荷室のリヤシート後部近くにトノカバー装置が設けられている。
【０００３】
トノカバー装置は一般的に、荷室全体を遮蔽するためのトノカバーシートと、トノカバーシートを収納するケースと、トノカバーシートの後端が固着しており、ケースの内部に回転可能に支持されている巻取り軸と、を有している。また、ケースの１つの面には、長手方向に延びるスリット状の開口部が形成されている。巻取り軸を巻取り方向に回転付勢させることで、展張していたトノカバーシートを、開口部を介して巻取ることができる。トノカバーシートの先端には、板状の把持ボードが結合されている。この把持ボードは、トノカバーシートをケース内から引出す際にユーザが手で掴むための把持部と、幅方向の両端部に設けられている係止フックとを有している。また、把持ボードが開口部よりも大きくなっているため、トノカバーシートが巻取り軸によって巻取られた状態でも、把持ボードは開口部を介してケース内に入らず、開口部から突出した状態になる。そのため、トノカバーシートの全てが巻取り軸に巻取られてしまうことがない。
【０００４】
また、自動車の荷室の後端部を形成するバックドアは通常、車両後方に湾曲した形状となっているため、把持ボードをバックドアの形状に対応した形状とすることで荷室全面を覆い隠すことが可能な構成とすることができる。
【０００５】
トノカバー装置を使用する際には、ユーザが把持ボードに設けられた把持部を掴み、巻取り軸の巻取り方向への付勢力に抗してケースの開口部からトノカバーシートを引出し、把持ボードの両端部の係止フックを荷室側部に設けられた係止装置へ係止させる。係止フックが係止装置に係止されると、トノカバーシートは展張状態を維持する。
【０００６】
上述の把持ボードは、一般的に一定の厚みを有した樹脂などの成形体と補強プレートなどからなるため、トノカバーシートが巻取り軸に巻取られた状態において、ケースの開口部から突出している把持ボードが自重によって垂れ下がった状態となる。そのため、車両走行時には振動等によって、把持ボードがケースなどと干渉して異音が発生するという不具合が生じていた。
【０００７】
そこで、この問題を解決する従来技術のトノカバー装置の一例の構成が特許文献１に開示されている。特許文献１に記載のトノカバー装置は、把持ボードの幅方向の両端部に、係止フックの代わりにエンドキャップを設けるとともに、ケースの開口部の幅方向の両端側部に係合孔が設けられている。エンドキャップは、荷室側部に設けられた係止装置と係止する役割とともに、係合孔と嵌合する役割がある。特許文献１では、トノカバーシートが巻取られ、ケースに収納されたときに、エンドキャップと係合孔とが嵌合することによって、把持ボードを水平状態に保持可能であり、上記の問題を解決することができるとしている。しかしながら、この特許文献１に記載のトノカバー装置においては、ケースの開口部の幅方向の両端側部に係合孔を形成する必要があり、その分、加工工数が増え、コストが増加するという問題が残っていた。
【０００８】
特許文献１のトノカバー装置で生じていた問題を解決することができる従来技術のトノカバー装置の他の一例の構成が特許文献２に開示されている。図６に、従来技術のトノカバー装置の他の一例の断面の概略図を示す。トノカバーシート１００の展張時に不図示の自動車の荷室後方側部に設けられた係止装置に係合して、展張状態を維持するための１対の係止具（係止フック）１６０が、トノカバーシート１００の引出し方向の先端に設けられた把持ボードの幅方向の両端部に設けられている。
【０００９】
この係止具１６０にはそれぞれ、係止装置に係合する不図示の第１係合部のほかに、トノカバーシート１００が出入りするケース１５０の開口部１２０に係合する第２係合部１１０が一体形成されている。また、第２係合部１１０の上面には、ケース１５０の、開口部１２０の一部を形成する上縁部１７０が嵌まり込む溝１３０が形成されている。第２係合部１１０の下面には、開口部１２０の下方において、ケース１５０の表面と当接するストッパ１４０が突出して形成されている。ケース１５０は、開口部１２０の開口高さ（垂直方向、つまり車両上下方向の幅）を広げる向きに弾性変形可能に形成されている。
【００１０】
第２係合部１１０は、開口部１２０を変形させつつ開口部１２０に嵌まり込むことによって、ケース１５０の、開口部１２０の一部を形成する上縁部１７０と、係止具１６０の第２係合部１１０の上面の溝１３０とが係合する。そのため、ケース１５０の開口部１２０の幅方向の両端側部に係合孔を設けることなく、また、部品点数を増やすことなく、把持ボードを水平に保持し、把持ボードの垂れ下がりを防止可能としている、また、ストッパ１４０とケース１５０とが当接することで、把持ボードの自重による垂れ下がりをさらに効果的に防止している。
【先行技術文献】
【特許文献】
【００１１】
【特許文献１】特開平１０−４４８７０号公報
【特許文献２】特開２０００−２８９５２９号公報
【発明の概要】
【発明が解決しようとする課題】
【００１２】
上記特許文献２に記載の技術においては、第２係合部１１０の溝１３０と、ケース１５０の、開口部１２０の一部を形成する上縁部１７０とを係合したり、外したりする際に、開口部１２０を広げるためにケース１５０を弾性変形させる必要がある。そのため、ケース１５０に比較的弾性に富んだ合成樹脂の成形体を用いるとしている。しかしながら、トノカバー装置のケース１５０には上方から手や片膝をつく場面が想定されそれに耐えうる大きな耐荷重性が求められるものであるため、一般的にアルミニウムなどの金属製であることが多い。そのため、容易にケースを弾性変形させることができないという問題がある。
【００１３】
また、トノカバー装置を使用時から非使用時に切り替える際に、自動車の荷室後方側部の係止装置と係止具１６０との係合を解除するという通常の操作に加え、係止具１６０の第２係合部１１０の溝１３０とケース１５０の上縁部１７０とを確実に係合させるために、ユーザが巻取られた把持ボードを持ち開口部１２０を広げるように上下に動かしながら更に奥へと押し込む操作が必要となり煩わしさがある。
【００１４】
本発明は、上記課題に鑑みてなされたものであり、非使用時に従来に比して特別な追加部品や追加工程、さらには特別な操作を必要とすることなく簡便に把持ボードの水平保持を行うことができるトノカバー装置を提供することを目的としている。
【課題を解決するための手段】
【００１５】
本発明のトノカバー装置は、車両の荷室を遮蔽するトノカバーシートと、トノカバーシートの後端が固着されており、トノカバーシートを巻取る巻取り軸と、巻取り軸を内蔵し、トノカバーシートが出入りする開口部が形成されたケースと、トノカバーシートの先端に結合された把持ボードと、把持ボードの幅方向の両端部に設けられ、車両に設けられた係止装置と係止できる係止フックと、を備えている。
【００１６】
また、ケースは、開口部の長手方向に延びる縁を形成し、トノカバーシートの引出し方向に延びる端部を有している。さらに、係止フックには、端部を挟持し保持するための挟持部が設けられている。挟持部は、ケースと対向する側に上記端部の受け入れ開口が形成されたくさび状の隙間を有している。
【発明の効果】
【００１７】
本発明によれば、特別な部品や加工工程を追加せず、さらには特別な操作を行うことなく、把持ボードを水平保持することができる。
【図面の簡単な説明】
【００１８】
【図１】本発明のトノカバー装置の一実施形態であって、トノカバーシートの巻取り収納状態を示した概略斜視図である。
【図２】図１のトノカバー装置の係止フック付近の概略断面図である。
【図３】図１のケースと係止フックの断面図であり、（ａ）はケースの断面図、（ｂ）は係止フックの断面図である。
【図４】上端部と挟持部の作用を説明する概略図である。
【図５】係止フックの他の実施例を示す概略図であり、（ａ）は支点部にばね部材が設けられた状態の概略図、（ｂ）は上片に窪みが設けられた状態、（ｃ）はケースを上部と前方側部で構成した状態、（ｄ）は突出部が延長した状態、をそれぞれ示す図である。
【図６】従来技術のトノカバー装置の他の一例の断面の概略図である。
【発明を実施するための形態】
【００１９】
以下に、添付の図面に基づき、本発明の実施の形態を説明する。なお、同一の機能を有する構成には添付図面中、同一の番号を付与し、その説明を省略することがある。
【００２０】
図１は、本発明のトノカバー装置の一実施形態であって、トノカバーシートの巻取り収納状態を示した概略斜視図である。図２は、図１のトノカバー装置の係止フック付近の概略断面図である。図３は、図１のケースと係止フックの断面図であり、（ａ）はケースの断面図、（ｂ）は係止フックの断面図である。
【００２１】
トノカバー装置１０は、荷室を覆うトノカバーシート４０と、トノカバーシート４０の後端が固着されており、トノカバーシート４０を巻取る巻取り軸７０が内蔵されているケース５０と、が設けられている。ケース５０には、トノカバーシート４０がケース５０に出入りするためのスリット状の開口部６０が設けられている。トノカバーシート４０の先端には、幅方向の両端部に、係止部３１と挟み部３６とを有する係止フック３０が設けられた把持ボード２０が結合されている。
【００２２】
トノカバー装置１０は不図示の自動車のリヤシート後部に設けられる。ユーザがトノカバー装置１０の把持ボード２０を掴んで、ケース５０内に巻取り収納されていたトノカバーシート４０を、巻取り軸７０の付勢力に抗して自動車の後部方向に引出す。そして、自動車の荷室後方の両側面に設けられた不図示の係止装置に係止フック３０の係止部３１を係止させることによってトノカバーシート４０の展張状態を維持する。トノカバーシート４０の展張状態を維持することで、荷室を遮蔽して、荷室に載置した荷物が車外から視認されないようにすることができる。
【００２３】
ケース５０には、さらにケース５０の両端に取付けられる不図示のホルダを固定するためのネジ溝８０が設けられている。また、ケース５０は、乗員が上方から手や片膝をつく場面が想定されそれに耐えうる大きな耐荷重性が求められるものであり、アルミニウムなどの金属を、自動車の室内幅と略等しい長さを有する筒状となるように押出成形するとともに、この筒状の押出成形物の両端に、ＴＰＯ（オレフィン系熱可塑性エラストマ）などの熱可塑性樹脂又は各種ゴムなどからなる図示しないホルダを嵌め合わせることで形成される。
【００２４】
ケース５０内部にはトノカバーシート４０の後端が固着された巻取り軸７０が内蔵されており、巻取り軸７０の両端部は、ケース５０の両端に取り付けられる不図示のホルダによって軸支されている。巻取り軸７０は、トノカバーシート４０を巻取る方向に付勢されている不図示の巻取り機構を有している。自動車室内にはホルダと略同じ大きさの凹部が設けられており、この凹部にホルダを嵌め込むことでトノカバー装置１０は荷室に設置されるため、トノカバー装置１０は凹部から着脱可能な構成となっている。
【００２５】
トノカバーシート４０には、塩化ビニルレザーなどの柔軟で遮光性のある素材が用いられる。
【００２６】
把持ボード２０は、トノカバーシート４０の先端に設けられ、バックドアの形状に沿った形状をしており、ある程度の剛性をもった部材、例えば硬質な樹脂で形成されている。把持ボード２０は、トノカバーシート４０の引出しを容易にするためだけではなく、上述したように、バックドアの形状に沿って非矩形状をした荷室後部を覆うことを可能としている。
【００２７】
図３（ａ）に示すように、ケース５０の断面形状は、車両の側方から見て、上部５３、下部５５、前方側部５６、後方側部５４を有する略矩形状をしており、上部５３から順に、前方側部５６、下部５５及び後方側部５４がつながっている。上部５３の後方側部５４側の端部には上端部５１が設けられており、後方側部５４の上部５３側の端部には、下端部５２が設けられている。
【００２８】
また、上端部５１と下端部５２とで、トノカバーシート４０の幅よりも大きなスリット状の開口部６０が、ケース５０の長手方向に沿って形成されている。つまり、上端部５１と下端部５２は、開口部６０の長手方向に延びる縁を形成するものである。そのため、例えば後方側部５４と上部５３と前方側部５６と下部５５がつながり、後方側部５４と下部５５とがつながっていない場合、上端部５１は、後方側部５４の下部５５側の端部に形成され、下端部５２は、下部５５の後方側部５４側の端部に形成されることになる。つまり、上端部は、開口部６０の上方の縁を形成する端部、下端部は、開口部６０の下方の縁を形成する端部を意味する。
【００２９】
本実施形態では、上端部５１がトノカバーシート４０の引出し方向（車両後方）に向いて延びる水平な端部（水平端部）として構成されている。しかしながら、上端部５１と下端部５２の関係が前述したものと逆の場合、つまり下端部５２がトノカバーシート４０の引出し方向に向いて延びる水平端部として構成されていてもよく、また、上端部５１と下端部５２の両方が引出し方向に向いて延びる水平端部として構成されていてもよい。本発明においては、上端部５１および下端部５２の少なくとも一方がトノカバーシート４０の引出し方向に向いて延びる水平端部であることが必須の構成要件となる。
【００３０】
図３（ｂ）に示すように、係止フック３０は、車両の側方から見て、上片３２、下片３３、及び前片３５を有する断面形状が略コの字形状をしており、上片３２から順に前片３５と下片３３がつながっている。この係止フック３０の上片３２、下片３３、及び前片３５とで挿入部３７が形成されるとともに、この挿入部３７で把持ボード２０が挟持固定される。係止フック３０は、ネジ止めなどによって把持ボード２０の幅方向の両端にそれぞれ取付け固定される。
【００３１】
さらに本実施形態における係止フック３０には、上片３２の上面３２ａの車両後方で接続され、車両前方側へと延びる挟み部３６が形成されており、挟み部３６と上面３２ａとの間に車両前方に向いた隙間３８を有するよう構成されている。また、挟み部３６と上片３２との当接部が支点部３９となっている。そして、挟み部３６と上片３２と支点部３９とで上端部５１を挟持する挟持部８０が構成されている。
【００３２】
挟み部３６は、前方において下方に突出する凸形状をした保持部３０ｂと、上片３２と対向する面であり、保持部３０ｂから前方の端部に向かって上方に反って延びる案内部３６ａと、を有する。なお、図示していないが、挟み部３６の、案内部３６ａを有する面は保持部３０ｂの位置で窪んでいるが、平坦にしても構わない。
【００３３】
なお、この挟持部８０は、ケース５０の開口部６０を形成する上端部５１と下端部５２のうち、水平となっている端部の１つを挟持できればよい。そのため、挟み部３６は係止フック３０の下片３３の下面３３ａから延設される構成としてもよい。
【００３４】
これにより、トノカバーシート４０の巻取り収納状態において、ケース５０の上端部５１が係止フック３０の隙間３８内で挟持部８０により挟持されて、把持ボード２０の水平保持を行うことができる（図２参照）。また、前片３５の上端には前方に突出する突出部３４が形成されており、ケース５０の上端部５１を下支えすることで、把持ボード２０の重量が大きい場合に把持ボード２０の後方が垂れ下がってしまうことを防止できる。また、この突出部３４も挟持部８０の一部を構成する。
【００３５】
また、係止フック３０には、トノカバーシート４０をケース５０から引出した展張状態を維持させる為に、自動車の荷室後方に設けられた係止装置に係止可能な係止部３１が一体成形されている（図１参照）。係止フック３０はＰＯＭ（ポリアセタール）、ＰＰ（ポリプロピレン）、ＰＢＴ（ポリブチレンテレフタレート）などの優れた強度特性、耐摩耗性、耐疲労性を備えた材料が好適に用いられる。
【００３６】
ここで、ケース５０の上端部５１と挟持部８０の作用を、図４を用いて説明する。図４は、上端部５１と挟持部８０の動作を説明する概略図である。
【００３７】
荷室後方の両側面に設けられた不図示の係止装置と係止フック３０の係止部３１とが係止したトノカバーシート４０の展張状態から、係止装置と係止フック３０との係止が解除されると、巻取り軸７０の付勢力によってトノカバーシート４０は巻取り方向（車両前方）に自動的に巻取られていく。そして、水平端部である上端部５１の車両後方の先端が挟み部３６の先端に当接する状態となる。なお、このときの挟み部３６の位置は、図４の破線で示す位置である。ここで、挟み部３６には、車両前方の先端を斜め上方に延びる形状とした案内部３６ａが形成されているので、把持ボード２０の重みによって挟み部３６が上端部５１に対して下方向に位置ずれした場合においても、上端部５１を隙間３８の方向へと確実に案内できる。なお、荷室側部にガイドレールなどの案内部３６ａを配設して係止フック３０の軌道を既定してもよい。
【００３８】
ケース５０の上端部５１の車両後方の先端と係止フック３０の挟み部３６の先端が当接している状態から、さらに巻取り軸７０による付勢力Ｆが働くことで、上端部５１が隙間３８に入り込むような力が生じ、支点部３９を支点とした「てこの原理」によって挟み部３６が隙間３８を広げる方向に弾性変形する。そして、上端部５１が隙間３８内に侵入し、挟み部３６の内面に突き当たり停止する。このとき、案内部３６ａからつながり下方に突出する凸形状をした保持部３０ｂが上部５３の上面に、係止フック３０の上面３２ａが上部５３の下面にそれぞれと当接した状態となり、付勢力Ｆと挟み部３６の弾性力により上端部５１が挟持部８０に挟持された状態を保持する。
【００３９】
なお、本実施形態では挟み部３６の保持部３６ｂは１箇所のみとしたが、複数の保持部３６ｂを設け、波打ち状を形成してもよく、この場合、保持部３６ｂと上部５３の上面との当接面積が増えるため、より安定して把持ボード２０の水平保持を行うことができる。また、上端部５１の下側が厚肉部となるよう構成し、上端部５１が挟持部８０に保持された状態において上端部５１の位置に対応する係止フック３０の上片３２の上面３２ａに凹部を形成することで、上端部５１と係止フック３０の凹部とが嵌合し、より安定した把持ボード２０の水平保持を行うことができる。
【００４０】
以上で説明したように、本発明においては、前述した従来技術とは異なりケースではなくフックの挟み部を弾性変形させる構造であるため、トノカバー装置に必要とされる耐荷重性を犠牲にすることなく把持ボードの水平保持を行うことができる。そして、巻取り軸によるトノカバーシートを巻取る付勢力の方向と、ケースの上端部（水平端部）の延びる方向と、隙間３８の方向がそれぞれ車両前後方向に見てほぼ一致しているため、トノカバーシートが巻取られるための付勢力を利用して、ケースの上端部が係止フックの挟持部８０に自動的に挟持される。そのため、特別な追加部品や追加工程、また特別な操作を必要とすることなく簡便に把持ボードの水平保持を行うことができる。
【００４１】
また、挟持部８０でケース５０の上端部５１を挟持することができるため、係止フック３０とケース５０の後方側部５４が接していない、つまりケース５０に係止フック３０がぶら下がった状態でも把持ボード２０を水平保持することができる。これにより、ケース５０の後方側部５４を設けないケース５０も可能となり、トノカバー装置１０の構成要素のなかでは重量があり高価であるケース５０の断面積を大幅に低減することができ、軽量化、コストの観点で有利である。さらに、挟持部８０でケース５０の上端部５１を挟持することができるため、車両の走行時に振動が生じても、この振動により係止フック３０が揺れ動くことがなく、係止フック３０とケース５０とがぶつかり合うことがなくなる。その結果、車両走行時にトノカバー装置１０からの異音の発生を防止することができる。
【００４２】
次に、図５を基に、ケース５０と係止フック３０の他の実施例について説明する。
【００４３】
図５（ａ）に示すように、係止フック３０の上片３２と挟み部３６とをコイルばねや板ばね等のばね部材９０を介して接続させてもよい。ばね部材９０は、挟み部３６と一体で形成しても、上片３２と一体で形成しても、挟み部３６および上片３２とは別体で形成したてもよい。これにより、ばね部材９０が支点部３９となるので、挟持部８０の上端部５１を挟持する力を容易に調整することができ、様々な重量の把持ボード２０に対応して水平保持を行うことができる。
【００４４】
図５（ｂ）に示すように、上端部５１が挟持部８０に挟持された状態で、ケース５０の上片５３の、係止フック３０の保持部３６ｂが当接する部分に窪み９１を設けてもよい。これにより、保持部３６ｂと窪み９１が嵌合し、より安定した把持ボード２０の水平保持を行うことができる。
【００４５】
図５（ｃ）に示すように、挟持部８０でケース５０の上端部５１を挟持することができるため、ケース５０を、上部５３と前方側部５６のみで形成することも可能である。これにより、トノカバー装置１０の構成要素のなかでは重量があり高価であるケース５０の断面積を大幅に低減することができ、軽量化、コストの観点で有利である。なお、ケース５０を下部５５と前方側部５６のみで形成し、下部５５に水平端部となる端部を形成してもよい。
【００４６】
図５（ｄ）に示すように、係止フック３０の突出部３４を車両前方に延長し、それに対応して挟み部３６も延長して、突出部３４と挟み部３６によってケース５０の上端部５１を挟持してもよい。さらに、これに合わせて上端部５１に上向きの厚肉部９２を形成し、上端部５１が挟持部８０で挟持された状態において、上端部５１が保持部３６ｂに引っかかるような構成としてもよい。これにより、突出部３４を延長した分だけ上端部５１を車両前方に移動させることができるため、ケース５０の上部５３を車両前方向に短くすることができ、ケース５０の断面積を低減しつつ安定した把持ボード５０の水平保持を行うことができる。
【００４７】
なお、上述したケース５０と係止フック３０の実施例を複数組合せて構成することも可能である。
【００４８】
また、上述の実施形態では、係止フック３０は、上片３２から順に、前片３５と下片３３がつながっていた。しかしながら、図１に示すように、係止フック３０は、開口部６０と対向していない面（車両側部と対向する面）で上片３２と下片３３とがつながるように形成されているため、前片３２と下片３３、または上片３２と前片３５とがつながっていない構成としてもよい。また、一部分のみがつながる構成にすることも可能である。
【００４９】
なお、上記の実施形態の説明では、トノカバー装置を自動車に適用して説明したが、いずれの車両であっても構わず、さらには、本発明を適用できるものであるならばいずれであっても構わない。
【符号の説明】
【００５０】
１０  トノカバー装置
２０  把持ボード
３０  係止フック
３６  挟み部
４０  トノカバーシート
５０  ケース
５１  上端部
５２  下端部
５３  上部
５４  後方側部
５５  下部
５６  前方側部
６０  開口部
７０  巻取り軸
８０  挟持部
【図１】
0005809940.tif 000002
【図２】
0005809940.tif 000003
【図３】
0005809940.tif 000004
【図４】
0005809940.tif 000005
【図５】
0005809940.tif 000006
【図６】
0005809940.tif 000007